(57)【要約】      （修正有）【課題】簡単な操作によって容易に内容物を一定量吐出することができる回転ポンピング式化粧品容器の提供。【解決手段】回転体５００の回転時に、回転体５００の内側屈曲部の傾斜面に沿ってステム３３０のガイド突起３３２が移動して、ポンピング部材３００のポンピング作用が行われるように構成されることによって、回転体５００を回転させる簡単な操作によって容易に内容物を一定量吐出することができる。【選択図】図２
2015062534.tif 000002
【特許請求の範囲】
【請求項１】
内容物が収容される容器本体と；
前記容器本体の上部に結合され、中空が形成され、ポンピング部材を支持する支持体と；
前記支持体に結合され、容器本体に収容された内容物が外部に排出されるようにポンピング作用を行い、前記支持体に結合されるシリンダーと、前記シリンダーの内部で昇降されるピストンロッドと、前記ピストンロッドと結合され、上部外側にガイド突起が突出して形成されるステムと、前記ステムの下部に設置されて、上方向に弾性力を提供する弾性体とを含むポンピング部材と；
前記支持体に結合されて、前記ステムの回転を防止して昇降をガイドするように、前記ガイド突起が挿入される垂直ガイド溝が形成される昇降ガイド部材と；
前記容器本体の上部で前記支持体を囲んで回転可能に結合され、その上端には内容物を排出する排出部が形成され、内周面には前記ガイド突起の上下移動を案内するように内周面を囲んで屈曲部が形成される回転体と；
前記回転体の排出部に結合されて、内容物を排出する排出手段と；を含むことを特徴とする回転ポンピング式化粧品容器。
【請求項２】
前記屈曲部は、前記回転体の内周面を囲んで上下に交互に形成されることを特徴とする請求項１に記載の回転ポンピング式化粧品容器。
【請求項３】
前記上部に形成される屈曲部の最高点の平坦な載置区間には前記ガイド突起を固定させる固定突起が形成されることを特徴とする請求項２に記載の回転ポンピング式化粧品容器。
【請求項４】
前記回転体の上部内側には前記ステムの上部に挿入されて、上方向に移動する内容物の漏液を遮断する漏液防止部が結合されることを特徴とする請求項１に記載の回転ポンピング式化粧品容器。
【請求項５】
前記漏液防止部は、
前記ステムの上部に挿入されて、内容物の上部への移動を案内し、その下部がステムの内壁に密着して形成される漏液防止ロッドと、前記漏液防止ロッドの上部を囲んで結合され、前記回転体の上部内側に載置されて漏液防止ロッドを支持する漏液防止キャップとを含むことを特徴とする請求項４に記載の回転ポンピング式化粧品容器。
【請求項６】
前記漏液防止ロッドは中央部に長手方向に内容物移動孔が形成され、その下部はステムの内壁に密着されるピストン形に形成されることを特徴とする請求項５に記載の回転ポンピング式化粧品容器。
【発明の詳細な説明】
【技術分野】
【０００１】
本発明は回転ポンピング式化粧品容器に関するもので、さらに詳しくは、回転体の回転時に、回転体の内側屈曲部の傾斜面に沿ってステムのガイド突起が移動して、ポンピング部材のポンピング作用が行われるように構成されることによって、回転体を回転させる簡単な操作によって容易に内容物を一定量吐出することができる回転ポンピング式化粧品容器に関する。
【背景技術】
【０００２】
一般に、ポンピング部材を通じて内容物を排出するように構成されたポンピング式化粧品容器は、内容物が収容される容器本体と、上記容器本体の上部に結合されて、ポンピング作用をするポンピング部材と、上記ポンピング部材の上部に位置して、使用者の加圧を通じてポンピング作動を可能にし、内容物が排出される排出孔が備えられるボタン部材とで構成される。
【０００３】
上記のようなポンピング式化粧品容器は、使用者がボタン部材を加圧すると、ポンピング部材にその圧力が伝達され、これによって、ポンピング部材が作動して容器本体に収容された内容物を排出孔を通じて外部に排出するように構成される。ポンピング式化粧品容器の製造において、一律的に上部ボタン部材の加圧方式を通じてポンピング部材が作動するように製造される。その故、ボタン部材が一側に傾斜された状態で加圧されるなど使用者がボタン部材を加圧する位置によって、内容物の排出量が変わるため、内容物を一定に排出することが容易でないという問題点があった。
【０００４】
このような問題点を解消するために、最近には、側面に形成されたボタンを上昇または下降させる動作によってポンピング部材の作動が行われるポンピング式化粧品容器が開発されるなど多様なポンピング構造を通じて内容物の排出が可能なポンピング式化粧品容器の開発が活発に行われている。
【発明の概要】
【発明が解決しようとする課題】
【０００５】
本発明は上述した問題点を解決するために案出されたもので、回転体の回転時に、回転体の内側屈曲部の傾斜面に沿ってステムのガイド突起が移動して、ポンピング部材のポンピング作用が行われるように構成されることによって、回転体を回転させる簡単な操作によって容易に内容物を一定量吐出することができる回転ポンピング式化粧品容器を提供することを目的とする。
【課題を解決するための手段】
【０００６】
上記のような問題点を解決するために、本発明による回転ポンピング式化粧品容器は、内容物が収容される容器本体と；上記容器本体の上部に結合され、中空が形成されており、ポンピング部材を支持する支持体と；上記支持体に結合され、容器本体に収容された内容物が外部に排出されるようにポンピング作用を行い、上記支持体に結合されるシリンダーと、上記シリンダーの内部で昇降されるピストンロッドと、上記ピストンロッドと結合され、上部外側にガイド突起が突出して形成されるステムと、上記ステムの下部に設置されて、上方向に弾性力を提供する弾性体とを含むポンピング部材と；上記支持体に結合され、上記ステムの回転を防止し、昇降をガイドするように上記ガイド突起が挿入される垂直ガイド溝が形成される昇降ガイド部材と；上記容器本体の上部で上記支持体を囲んで回転可能に結合され、その上端には内容物を排出する排出部が形成され、内周面には上記ガイド突起の上下移動を案内するように、内周面を囲んで屈曲部が形成される回転体と；上記回転体の排出部に結合されて内容物を排出する排出手段と；を含むことを特徴とする。
【０００７】
また、上記屈曲部は上記回転体の内周面を囲んで上下に交互に形成されることを特徴とする。
【０００８】
また、上記上部に形成される屈曲部の最高点の平坦な載置区間には上記ガイド突起を固定させる固定突起が形成されることを特徴とする。
【０００９】
また、上記回転体の上部内側には上記ステムの上部に挿入されて、上方向に移動する内容物の漏液を遮断する漏液防止部が結合されることを特徴とする。
【００１０】
また、上記漏液防止部は、上記ステムの上部に挿入されて、内容物の上部への移動を案内し、その下部がステムの内壁に密着形成される漏液防止ロッドと、上記漏液防止ロッドの上部を囲んで結合され、上記回転体の上部内側に載置されて、漏液防止ロッドを支持する漏液防止キャップとを含むことを特徴とする。
【００１１】
また、上記漏液防止ロッドは、中央部に長手方向に内容物移動孔が形成され、その下部はステムの内壁に密着されるピストン形に形成されることを特徴とする。
【発明の効果】
【００１２】
上述したように、本発明によれば、回転体の回転時に、回転体の内側屈曲部の傾斜面に沿ってステムのガイド突起が移動してポンピング部材のポンピング作用が行われるように構成されることによって、回転体を回転させる簡単な操作によって容易に内容物を一定量吐出することができるという長所がある。
【００１３】
また、回転体の内周面を囲んで上下に交互に形成される屈曲部の傾斜面に沿ってガイド突起が移動してポンピング作用が行われるので、特定方向に制限されず両方向回転によるポンピング作用が可能であるので、使用者に便宜を提供することができるという長所がある。
【図面の簡単な説明】
【００１４】
【図１】本発明の好ましい実施例による回転ポンピング式化粧品容器の構成を示す結合斜視図である。
【図２】本発明の好ましい実施例による回転ポンピング式化粧品容器の構成を示す分解斜視図である。
【図３】本発明の好ましい実施例による回転ポンピング式化粧品容器の構成を示す断面図である。
【図４】本発明の好ましい実施例による回転ポンピング式化粧品容器の回転体の構成を示す斜視図である。
【図５】本発明の好ましい実施例による回転ポンピング式化粧品容器の作動状態を示す説明図である。
【図６】本発明の好ましい実施例による回転ポンピング式化粧品容器の作動状態を示す説明図である。
【発明を実施するための形態】
【００１５】
以下、図面を参照して本発明を詳しく説明する。各図面に提示された同じ参照符号は同じ部材を示す。
【００１６】
図１は本発明の好ましい実施例による回転ポンピング式化粧品容器の構成を示す結合斜視図で、図２は本発明の好ましい実施例による回転ポンピング式化粧品容器の構成を示す分解斜視図で、図３は本発明の好ましい実施例による回転ポンピング式化粧品容器の構成を示す断面図である。
【００１７】
図４は本発明の好ましい実施例による回転ポンピング式化粧品容器の回転体の構成を示す斜視図で、図５及び図６は本発明の好ましい実施例による回転ポンピング式化粧品容器の作動状態を示す説明図である。
【００１８】
図１〜６によれば、本発明の好ましい実施例による回転ポンピング式化粧品容器は、容器本体１００、支持体２００、ポンピング部材３００、昇降ガイド部材４００、回転体５００が含まれる。
【００１９】
上記容器本体１００は内容物が収容されるもので、その内部には内容物の使用によって上昇するピストン１１０が備えられる。
【００２０】
上記支持体２００は上記容器本体１００の上部に結合されて、ポンピング部材３００を支持するもので、ピストンロッド３２０及びステム３３０が挿入できるように中空２１０が形成され、中空２１０の外側にはポンピング部材３００のポンピング作用を可能にする弾性体３４０が載置されるようにスプリング載置部２２０が形成される。
【００２１】
上記ポンピング部材３００は上記支持体２００に結合されて、容器本体１００に収容された内容物が外部に排出されるようにポンピング作用を行うもので、シリンダー３１０、ピストンロッド３２０、ステム３３０、弾性体３４０が含まれる。
【００２２】
上記シリンダー３１０は上記支持体２００の下部に結合されるもので、その下端には内容物が流入される吸入通孔３１１が形成され、上記吸入通孔３１１の上部には吸入方向のみに流体の流れを許容するチェックバルブ３１２が設置される。
【００２３】
上記ピストンロッド３２０は後述するステム３３０の内側に結合されて、ステム３３０の昇降移動によって上記シリンダー３１０の内部で昇降されるもので、中心軸には、上端は開放され、下端は閉鎖されて内容物が移動する空間が形成され、下部側面には２つ以上の側面通過孔が形成される。
【００２４】
上記ピストンロッド３２０の下側には外周縁が上記シリンダー３１０の内壁に密着され、ポンピング部材３００のポンピング作用による内容物の圧力によって変形され、側面通過孔を開閉するシールキャップ３２１が設置される。
【００２５】
上記ステム３３０は上記支持体２００の中空２１０を貫通して設置され、回転体５００の回転によって昇降されるもので、中央は内容物が移動できるように上下に貫通され、その内側には上記ピストンロッド３２０が結合され、上側外周縁に沿ってスプリング係止段差３３１が形成される。
【００２６】
本発明において、上記ステム３３０の上部外側には昇降ガイド部材４００の垂直ガイド溝４１０に挿入され、回転体５００の屈曲部５２０が形成する傾斜面に沿って移動するガイド突起３３２が突出して形成されることが特徴である。
【００２７】
上記ガイド突起３３２は、回転体５００の回転時に、弾性体３４０の上方向へ移動しようとする弾性力によって支持された状態で、回転体５００の内側に上下に交互に形成される屈曲部５２０の傾斜面に沿って移動するように構成される。これによって、回転体５００の回転時に、ガイド突起３３２が屈曲部５２０の上死点または下死点に位置することによって、ステム３３０の昇降が行われ、ポンピング部材３００のポンピング作用が可能になる。
【００２８】
また、上記ガイド突起３３２は上記垂直ガイド溝４１０に挿入されることによって、回転体５００の回転時に回転しないで、上下のみに移動されるように構成される。
【００２９】
上記弾性体３４０は上記ステム３３０の下部に設置されて、上方向に弾性力を提供するもので、上端は上記スプリング係止段差３３１の下部に支持され、下端は上記支持体２００のスプリング載置部２２０に載置されて、ステム３３０の昇降移動によって収縮または弛緩されて、上方向に弾性力を提供する。
【００３０】
上記弾性体３４０は液状内容物によって腐食されたり損傷されることを防止するとともに、内容物の変質を防止することができるように、シリンダー３１０の外部に液状の内容物と接触されないように設置することが好ましい。
【００３１】
上記昇降ガイド部材４００は上記支持体２００に結合されて、上記ガイド突起３３２の上下移動をガイドするもので、本発明において、上記昇降ガイド部材４００の両側面には上記ガイド突起３３２が挿入されることができるように、上端から下方に垂直ガイド溝４１０が形成されることが特徴である。
【００３２】
上記垂直ガイド溝４１０は、回転体５００の回転時に、上記ステム３３０の回転を防止して、ガイド突起３３２が上下のみに移動できるようにガイドする。
【００３３】
上記回転体５００は上記容器本体１００の上部で上記支持体２００を囲んで回転可能に結合されるもので、その上端には内容物を排出する排出手段が結合されるように排出部５１０が形成される。
【００３４】
上記排出部５１０には内容物を排出する排出手段が備えられ、本発明の図面ではボールアプリケーター７００を通じて内容物を排出するように示したが、ブラシ、ゴムチップなど内容物を排出するための多様なアプリケーターの使用が可能である。
【００３５】
一方、本発明において、上記回転体５００の内周面には上記ガイド突起３３２の上下移動を案内するように、内周面を囲んで屈曲部５２０が形成されることが特徴であり、上記屈曲部５２０は、図６に示すように、上記回転体５００の内周面で上下に交互に形成される。回転体５００の回転時に、下方に形成された屈曲部５２０が上記ガイド突起３３２を加圧してステム３３０を下方に移動させてから、屈曲部５２０が上方向に形成される部分で、弾性体３４０の弾性力によって、ステム３３０が上方向に移動する動作によって、ポンピング部材３００のポンピング作用が行われる。
【００３６】
また、上部に形成される屈曲部５２０の最高点の平坦な載置区間には、上記ガイド突起３３２を固定させる固定突起５２１が形成されて、上記回転体５００が不注意で容易に回転することを防止し、同時に、使用者が使用のために上記回転体５００を回転させる場合、上記回転体５００の回転を始める区間と終わる区間を手に伝達される感覚によって認知することができるようにすることが好ましい。
【００３７】
一方、上記回転体５００の上部内側には、上記ステム３３０の上部に挿入されて、上方向に移動する内容物の漏液を遮断する漏液防止部６００が結合されるように結合部５３０が形成される。上記結合部５３０の内周面には漏液防止部６００の漏液防止キャップ６２０が載置される載置突起５３１が形成される。
【００３８】
上記漏液防止部６００は上記ステム３３０の上部内側に挿入されて、内容物の上部への移動を案内し、上部に移動する内容物がステム３３０の内壁に沿って移動することを防止する。このために、中央部に長手方向に内容物が移動する通路を形成する内容物移動孔６１１が形成され、その下部がピストン形に形成される漏液防止ロッド６１０と、上記漏液防止ロッド６１０の上部を囲んで結合され、上記結合部５３０の載置突起５３１に載置されて漏液防止ロッド６１０を支持する漏液防止キャップ６２０とで構成される。
【００３９】
上記漏液防止ロッド６１０は、その下部がピストン形に形成され、ステム３３０の内壁に密着されるように構成されることによって、上部に移動する内容物がステム３３０の内壁に沿って移動して漏液が発生することを遮断する。
【００４０】
一方、上記回転体５００の上部にはボールアプリケーター７００を保護し、異物が流入されることを遮断するように、回転体５００を囲んでオーバーキャップ８００が結合されることが好ましい。
【００４１】
以下、図１〜６を参照して本発明の好ましい実施例による回転ポンピング式化粧品容器の作動過程を説明する。
【００４２】
図１〜６によれば、本発明の好ましい実施例による回転ポンピング式化粧品容器は、まず、ステム３３０に形成されたガイド突起３３２が回転体５００の固定突起５２１に固定されている状態で、回転体５００を一側または他側の何れか一方向に回転させると、ガイド突起３３２が固定突起５２１から離脱して屈曲部５２０に沿って下方向に移動してから、上方向に移動する動作によって、ポンピング作用が行われる。この時、ガイド突起３３２の上下移動は下方向に形成された屈曲部５２０によって上記ガイド突起３３２が加圧されて下方向に移動し、屈曲部５２０が上方向に形成される部分で弾性体３４０の弾性力によってガイド突起３３２の上方向への移動が行われる。
【００４３】
上記のように、本発明は回転体５００の内周面を囲んで上下に交互に形成される屈曲部５２０の構造及び弾性体３４０の弾性力によって回転体５００を回転させる簡単な操作によって、ポンピング部材３００のポンピング作用が行われて、内容物が排出されるように構成されることによって、回転方向に制限されず、簡単に内容物の排出が可能になる。
【００４４】
図面と明細書に最適な実施例が開示された。ここで特定用語を用いたが、これはただ本発明を説明するための目的で用いたのであり、意味の限定や特許請求の範囲に記載された本発明の範囲を制限するために用いられたのではない。従って、当該技術分野において通常の知識を有するものであれば、多様な変形及び均等な他の実施例が可能であることを理解すべきである。従って、本発明の真の技術的保護範囲は特許請求の範囲の技術的思想によって定められるべきである。
【符号の説明】
【００４５】
１００：容器本体  
１１０：ピストン
２００：支持体  
２１０：中空
３００：ポンピング部材  
３１０：シリンダー
３１１：吸入通孔  
３１２：チェックバルブ
３２０：ピストンロッド  
３２１：シールキャップ
３３０：ステム  
３３１：スプリング係止段差
３３２：ガイド突起  
３４０：弾性体
４００：昇降ガイド部材  
４１０：垂直ガイド溝
５００：回転体  
５１０：排出部
５２０：屈曲部  
５２１：固定突起
５３０：結合部  
５３１：載置突起
６００：漏液防止部  
６１０：漏液防止ロッド
６１１：内容物移動孔  
６２０：漏液防止キャップ
７００：ボールアプリケーター
８００：オーバーキャップ
【図１】
2015062534.tif 000003
【図２】
2015062534.tif 000004
【図３】
2015062534.tif 000005
【図４】
2015062534.tif 000006
【図５】
2015062534.tif 000007
【図６】
2015062534.tif 000008